(57)【要約】【課題】  柱部に設けられた段差部の応力集中を緩和して、保持器の破損を防止可能な揺動軸受を提供する。【解決手段】  揺動軸受は、ハウジングに設けられた円弧状凹部内に配置される円弧状の軌道輪１２と、軌道輪１２の内周面に沿って配置され、スワッシュプレートを揺動自在に支持する複数のころ１３と、一対の円弧状部材１４ａ，１４ｂと柱部材１４ｃとを有する保持器１４とを備える。そして、柱部材１４ｃの端面は、円弧状部材１４ａに当接する接触端面１４ｄと、接触端面１４ｄより中央側に後退して円弧状部材１４ａと当接しない非接触端面１４ｅとを有し、接触端面１４ｄと非接触端面１４ｅとの間に形成される段差部１４ｆは湾曲面である。【選択図】      図１
2007064392.tif 000002
【特許請求の範囲】
【請求項１】
円弧状の軌道輪と、
前記軌道輪の内周面に沿って配置される複数のころと、
一対の円弧状部材および前記一対の円弧状部材の間に配置される複数の柱部材を有し、隣接する前記柱部材の間に前記複数のころを収容するポケットを有する保持器とを備え、
前記柱部材の端面は、前記円弧状部材に当接する接触端面と、前記接触端面より中央側に後退して前記円弧状部材と当接しない非接触端面とを有し、
前記接触端面と前記非接触端面との間に形成される段差部は、湾曲面を有する、揺動軸受。
【請求項２】
前記保持器は、樹脂材料により形成される、請求項１に記載の揺動軸受。
【発明の詳細な説明】
【技術分野】
【０００１】
この発明は、スワッシュプレート等を揺動自在に支持する揺動軸受に関するものである。
【背景技術】
【０００２】
従来、揺動軸受は、特開２００２−２８６０４１号公報（特許文献１）に示すように、斜板式プランジャポンプのスワッシュプレート等を支持する軸受として使用されている。同公報に記載されている斜板式プランジャポンプは、図５に示すように、ハウジング５に設けられた円弧状凹部５ａ内に揺動軸受１を介してスワッシュプレート６が配置される。
【０００３】
この斜板式プランジャポンプは、スワッシュプレート６が揺動することによって、スワッシュプレート６の平坦面６ａ上に配置されるプランジャ７が上下動して、オイルの吸入および圧送を行う仕組みとなっている。また、スワッシュプレート６の揺動範囲を一定範囲内に制限するために、スワッシュプレート６とハウジング５とを揺動量規制部材８によって連結している。
【０００４】
このような斜板式プランジャポンプに使用される揺動軸受１は、円弧状凹部５ａに嵌合する軌道輪２と、軌道輪２の内周面に沿って配置され、スワッシュプレート６を揺動自在に支持する複数のころ３と、複数のころを収容するポケットを有する保持器４とを備える。また、軌道輪２は、円弧状凹部５ａ内での位置を固定するために、その円周方向端部にハウジング５の位置決め孔５ｂに係合する位置決め片２ａを有する。
【０００５】
保持器４は、図６に示すように、軌道輪２に沿う一対の円弧状部材４ａ，４ｂと、一対の円弧状部材４ａ，４ｂの間に配置される複数の柱部材４ｃとを有する。この保持器４には揺動量規制部材８が貫通しており、スワッシュプレート６と同様に揺動量が規制されている。または、保持器４の揺動量を規制する他の手段として、軌道輪２の両端に係合片を設けた揺動軸受も知られている。
【０００６】
また、柱部材４ｃとスワッシュプレート６との干渉を回避するため、柱部材４ｃの端面は、円弧状部材４ａに当接する接触端面４ｄと、接触端面４ｄより中央側に後退して円弧状部材４ａと当接しない非接触端面４ｅとを有する。さらに、ころ３を収容するポケットは、隣接する柱部材４ｃの間に形成される。
【０００７】
上記構成の保持器４は、一般的に樹脂材料を射出成型して製造されており、図７に示すように、接触端面４ｄと非接触端面４ｅとの間に形成される段差部４ｆは、直線的な形状となる。
【特許文献１】特開２００２−２８６０４１号公報
【発明の開示】
【発明が解決しようとする課題】
【０００８】
上記構成の揺動軸受１は、スワッシュプレート６の揺動に伴って、ころ３がころ中心を中心として回転（以下「自転運動」という）すると共に、軌道輪２の軌道面に沿って移動（以下「公転運動」という）し、保持器４もころ３に追従して移動する。
【０００９】
しかし、保持器４の可動域は、軌道輪２の両端に設けられた係合片２ｂによって規制されているので、スワッシュプレート６が保持器４の可動域を超えて揺動すると、保持器４の柱部材４ｃがころ３の公転運動を妨げる。これは、保持器４の揺動量を軌道輪２の両端に設けた係合片によって規制するタイプの揺動軸受に顕著である。
【００１０】
このとき、柱部材４ｃはころ３から大きな荷重を受けることとなり、段差部４ｆに応力集中を生じて、保持器４が破損する恐れがある。これは、スワッシュプレート６の揺動範囲の中心と軌道輪２の中心とがずれている場合に発生しやすい。
【００１１】
そこで、この発明の目的は、柱部に設けられた段差部の応力集中を緩和して、保持器の破損を防止可能な揺動軸受を提供することである。
【課題を解決するための手段】
【００１２】
この発明に係る揺動軸受は、円弧状の軌道輪と、軌道輪の内周面に沿って配置される複数のころと、一対の円弧状部材および一対の円弧状部材の間に配置される複数の柱部材を有し、隣接する柱部材の間に複数のころを収容するポケットを有する保持器とを備える。そして、柱部材の端面は、円弧状部材に当接する接触端面と、接触端面より中央側に後退して円弧状部材と当接しない非接触端面とを有し、接触端面と非接触端面との間に形成される段差部は、湾曲面を有する。
【００１３】
上記構成とすることにより、接触面と非接触面との間に形成される段差部に生じる応力集中を緩和することができるので、スワッシュプレートが保持器の可動域を超えて揺動した場合でも、保持器の破損を防止可能な揺動軸受を得ることができる。
【００１４】
好ましくは、保持器は樹脂材料により形成される。樹脂材料を射出成型して保持器を製造する場合、段差部は直線的な形状となる。また、樹脂材料は、軌道輪やころと比較して強度が低いので、応力集中による保持器の破損の可能性が高い。そこで、樹脂製保持器を上記構成とすることで、保持器の破損を防止することについて、より良い効果が期待できる。
【発明の効果】
【００１５】
この発明は、保持器の段差部に生じる応力集中を緩和することにより、保持器の破損を防止可能な揺動軸受を得ることができる。
【発明を実施するための最良の形態】
【００１６】
図２を参照して、この発明の一実施形態に係る揺動軸受１１を説明する。
【００１７】
揺動軸受１１は、図２（ａ）に示すように、ハウジング１５に設けられた円弧状凹部１５ａ内に配置される円弧状の軌道輪１２と、軌道輪１２の内周面に沿って配置され、スワッシュプレート１６を揺動自在に支持する複数のころ１３と、複数のころ１３の間隔を保持する保持器１４とを備える。
【００１８】
軌道輪１２は、図２（ｂ）に示すように、円弧状凹部１５ａ内での位置を固定するために、その円周方向端部にハウジング１５の位置決め孔１５ｂに係合する位置決め片１２ａと、保持器１４の円周方向への揺動量を規制するための係合片１２ｂと、軌道輪１２の幅方向一方側に、ころ１３の端面を案内する鍔部１２ｃとを有し、鋼板をプレス加工して製造される。
【００１９】
保持器１４は、図３に示すように、軌道輪１２に沿う一対の円弧状部材１４ａ，１４ｂと、一対の円弧状部材１４ａ，１４ｂの間に配置される複数の柱部材１４ｃとを有し、ころ１３を収容するポケットは、隣接する柱部材１４ｃの間に形成される。この保持器１４は、樹脂材料を射出成型して製造される。
【００２０】
また、柱部材１４ｃとスワッシュプレート１６との干渉を避けるために、柱部材１４ｃの端面は、円弧状部材１４ａに当接する接触端面１４ｄと、接触端面１４ｄより中央側に後退して円弧状部材１４ａと当接しない非接触端面１４ｅとを有する。さらに、図１（ａ）および（ｂ）に示すように、接触端面１４ｄと非接触端面１４ｅとの間に形成される段差部１４ｆを湾曲面とする。
【００２１】
上記構成の保持器１４は、段差部１４ｆを湾曲面とすることにより、段差部１４ｆに生じる応力集中を緩和することができる。その結果、スワッシュプレート１６が保持器１４の可動域を超えて揺動することによって、保持器１４の柱部１４ｃがころ１３の公転運動を妨げた場合でも、ころ１３から負荷される荷重によって保持器１４が破損するのを有効に防止することができる。
【００２２】
また、揺動軸受１１においては、軌道輪１２の円周方向端部に位置決め片１２ａを設けて、円弧状凹部１５ａ内での位置を固定する例を示したが、これに限ることなく、図４（ａ）および（ｂ）に示す揺動軸受２１のように、外周面に位置決め突起２２ａを設けてもよい。この場合、ハウジングの位置決め孔２５ｂは、位置決め突起２２ａに対応する位置に設ける。なお、揺動軸受２１の基本的な構成は揺動軸受１１と同様であるので、説明は省略する。
【００２３】
さらに、この発明は、揺動軸受１１に使用されるあらゆる保持器に適用可能であるが、上記の実施形態のように、射出成型という段差部１４ｆが直線的な形状となりやすい製造方法によって製造され、かつ、軌道輪１２やころ１３と比較して強度の低い樹脂製の保持器１４に適用することにより、保持器１４の破損を防止することについて、高い効果が期待できる。
【００２４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２５】
この発明は、スワッシュプレート等を揺動自在に支持する揺動軸受に有利に利用される。
【図面の簡単な説明】
【００２６】
【図１】この発明の一実施形態に係る揺動軸受の部分拡大図であって、（ａ）は図３のＰ部の拡大図、（ｂ）は図１（ａ）のＱ部の拡大図である。
【図２】この発明の一実施形態に係る揺動軸受を示す図であって、（ａ）は断面図、（ｂ）は軌道輪の斜視図である。
【図３】図２に使用される保持器の円周方向端面の断面図である。
【図４】この発明の他の実施形態に係る揺動軸受を示す図であって、（ａ）は断面図、（ｂ）は軌道輪の斜視図である。
【図５】従来の揺動保持器を示す図である。
【図６】図５に使用される保持器の円周方向端面の断面図である。
【図７】図６のＲ部の拡大図である。
【符号の説明】
【００２７】
１，１１，２１  揺動軸受、２，１２，２２  軌道輪、２ａ，１２ａ  位置決め片、２２ａ  位置決め突起、１２ｂ，２２ｂ  係合片、１２ｃ，２２ｃ  鍔部、３，１３，２３  ころ、４，１４，２４  保持器、４ａ，４ｂ，１４ａ，１４ｂ  円弧状部材、４ｃ，１４ｃ  柱部材、４ｄ，１４ｄ  接触端面、４ｅ，１４ｅ  非接触端面、４ｆ，１４ｆ  段差部、５，１５，２５  ハウジング、５ａ，１５ａ，２５ａ  円弧状凹部、５ｂ，１５ｂ，２５ｂ  位置決め孔、６，１６，２６  スワッシュプレート、６ａ，１６ａ，２６ａ  平坦面、７  プランジャ、８  揺動量規制部材。
【図１】
2007064392.tif 000003
【図２】
2007064392.tif 000004
【図３】
2007064392.tif 000005
【図４】
2007064392.tif 000006
【図５】
2007064392.tif 000007
【図６】
2007064392.tif 000008
【図７】
2007064392.tif 000009